(57)【要約】      （修正有）【課題】小型の遠隔操作装置の機器設定に関するリソースについて、サーバ装置で管理することで、遠隔操作装置のリソースを抑えることができる遠隔操作システム及び遠隔操作方法を提供することを目的とする。【解決手段】通信ネットワーク１０１を介してデータ通信可能な遠隔操作装置とサーバ・コンピュータで構成され、遠隔操作装置はサーバ・コンピュータの表示用画像データを受信して表示し、当該表示上で指示した内容をサーバ・コンピュータは受信して指示内容に応じた処理を実行する遠隔操作システムであって、サーバ・コンピュータは、遠隔操作装置の設定情報を記憶した端末設定情報記憶手段１１５と、当該記憶された設定情報を読み出して遠隔操作装置への送信するよう制御する設定情報管理手段１１３とを有し、遠隔操作装置は、受信した設定情報を反映させる機器情報設定手段１０７を有する。【選択図】  図１
2004172711.tif 000002
【特許請求の範囲】
【請求項１】
通信ネットワークを介してデータ通信可能な遠隔操作装置とサーバ装置で構成され、遠隔操作装置はサーバ装置の表示用画像データを受信して表示し、当該表示上で指示した内容をサーバ装置は受信して指示内容に応じた処理を実行する遠隔操作システムであって、
サーバ装置は、遠隔操作装置の設定情報を記憶した設定情報記憶手段と、前記設定情報記憶手段に記憶された設定情報を読み出して遠隔操作装置への送信するよう制御する設定情報管理手段とを有し、
遠隔操作装置は、受信した設定情報を反映させる機器設定手段を有する、ことを特徴とする遠隔操作システム。
【請求項２】
サーバ装置は、前記設定情報記憶手段に記憶された設定情報を変更するための設定変更画面を生成する画面生成手段と、前記画面生成手段により生成された設定変更画面を遠隔操作装置へ送信するよう制御するサーバ制御手段と、を有し、
遠隔操作装置は、サーバ装置より受信した設定変更画面を表示させる表示手段と、前記表示手段により表示された設定変更画面において入力指示を行う入力手段とを有する、ことを特徴とする請求項１記載の遠隔操作システム。
【請求項３】
遠隔操作装置は、設定変更画面で入力指示した指示内容をサーバ装置へ送信する端末制御手段を有し、サーバ装置は、受信した指示内容に基づいて前記設定情報記憶手段の内容を更新する設定情報管理手段を有することを特徴とする請求項２記載の遠隔操作システム。
【請求項４】
前記設定情報管理手段は、更新した設定情報を遠隔操作装置へ送信するよう制御する、ことを特徴とする請求項３記載の遠隔操作システム。
【請求項５】
前記設定情報管理手段は、前記設定情報記憶手段の設定情報を更新した際、更新対象のデータ内容から更新した設定情報を遠隔操作装置に返すべきものか否かを判定し、返すべき内容の設定情報であれば、更新後の設定情報を遠隔操作装置に送信するよう制御する、ことを特徴とする請求項３記載の遠隔操作システム。
【請求項６】
前記設定情報管理手段は、遠隔操作装置との接続確立時に前記設定情報記憶手段の設定情報を遠隔操作装置へ送信するよう制御する、ことを特徴とする請求項１記載の遠隔操作システム。
【請求項７】
通信ネットワークを介してデータ通信可能な遠隔操作装置とサーバ装置で構成され、遠隔操作装置はサーバ装置の表示用画像データを受信して表示し、当該表示上で指示した内容をサーバ装置は受信して指示内容に応じた処理を実行する遠隔操作システムのサーバ装置であって、
遠隔操作装置の設定情報を記憶した設定情報記憶手段と、前記設定情報記憶手段に記憶された設定情報を読み出して遠隔操作装置への送信するよう制御する設定情報管理手段とを有する、ことを特徴とする遠隔操作システムのサーバ装置。
【請求項８】
サーバ装置は、前記設定情報記憶手段に記憶された設定情報を変更するための設定変更画面を生成する画面生成手段と、前記画面生成手段により生成された設定変更画面を遠隔操作装置へ送信するよう制御するサーバ制御手段と、を有することを特徴とする請求項７記載の遠隔操作システムのサーバ装置。
【請求項９】
サーバ装置は、受信した指示内容に基づいて前記設定情報記憶手段の内容を更新する設定情報管理手段を有することを特徴とする請求項８記載の遠隔操作システムのサーバ装置。
【請求項１０】
前記設定情報管理手段は、更新した設定情報を遠隔操作装置へ送信するよう制御する、ことを特徴とする請求項９記載の遠隔操作システムのサーバ装置。
【請求項１１】
前記設定情報管理手段は、前記設定情報記憶手段の設定情報を更新した際、更新対象のデータ内容から更新した設定情報を遠隔操作装置に返すべきものか否かを判定し、返すべき内容の設定情報であれば、更新後の設定情報を遠隔操作装置に送信するよう制御する、ことを特徴とする請求項３記載の遠隔操作システムのサーバ装置。
【請求項１２】
前記設定情報管理手段は、遠隔操作装置との接続確立時に前記設定情報記憶手段の設定情報を遠隔操作装置へ送信するよう制御する、ことを特徴とする請求項１記載の遠隔操作システムのサーバ装置。
【請求項１３】
通信ネットワークを介してデータ通信可能な遠隔操作装置とサーバ装置で構成され、遠隔操作装置はサーバ装置の表示用画像データを受信して表示し、当該表示上で指示した内容をサーバ装置は受信して指示内容に応じた処理を実行する遠隔操作方法であって、
サーバ装置は、記憶した遠隔操作装置の設定情報を読み出して遠隔操作装置への送信するよう制御し、
遠隔操作装置は、受信した設定情報を反映させる、ことを特徴とする遠隔操作方法。
【請求項１４】
サーバ装置は、設定情報を変更するための設定変更画面を生成し、当該生成した設定変更画面を遠隔操作装置へ送信し、
遠隔操作装置は、サーバ装置より受信した設定変更画面を表示させ、当該表示された設定変更画面において入力指示を行う、ことを特徴とする請求項１３記載の遠隔操作方法。
【請求項１５】
遠隔操作装置は、設定変更画面で入力指示した指示内容をサーバ装置へ送信し、サーバ装置は、受信した指示内容に基づいて記憶している設定情報の内容を更新する、ことを特徴とする請求項１４記載の遠隔操作方法。
【請求項１６】
更新した設定情報を遠隔操作装置へ送信する、ことを特徴とする請求項１５記載の遠隔操作方法。
【請求項１７】
設定情報を更新した際、更新対象のデータ内容から更新した設定情報を遠隔操作装置に返すべきものか否かを判定し、返すべき内容の設定情報であれば、更新後の設定情報を遠隔操作装置に送信する、ことを特徴とする請求項１５記載の遠隔操作方法。
【請求項１８】
サーバ装置は、遠隔操作装置との接続確立時に記憶している設定情報を遠隔操作装置へ送信する、ことを特徴とする請求項１３記載の遠隔操作方法。
【請求項１９】
通信ネットワークを介してデータ通信可能な遠隔操作装置とサーバ装置で構成され、遠隔操作装置はサーバ装置の表示用画像データを受信して表示し、当該表示上で指示した内容をサーバ装置は受信して指示内容に応じた処理を実行するための遠隔操作プログラムを記録した記録媒体であって、請求項１３乃至１８のいずれかに記載の遠隔操作プログラムを記録したことを特徴とする記録媒体。
【請求項２０】
通信ネットワークを介してデータ通信可能な遠隔操作装置とサーバ装置で構成され、遠隔操作装置はサーバ装置の表示用画像データを受信して表示し、当該表示上で指示した内容をサーバ装置は受信して指示内容に応じた処理を実行するための遠隔操作プログラムであることを特徴とする、請求項１３乃至１８のいずれかに記載の遠隔操作プログラム。
【発明の詳細な説明】
【０００１】
【発明の属する技術分野】
本発明は、通信ネットワークを介してデータ通信可能な遠隔操作装置とサーバ装置とからなるシステムにおいて、サーバ装置の表示画面情報を、遠隔操作端末装置において受信して表示し、ユーザが遠隔操作装置上で指示した内容に従いサーバ装置が指示に対応する処理を実行する遠隔操作システム及び遠隔操作方法に関するものである。
【０００２】
【従来の技術】
従来、パーソナル・コンピュータ等のコンピュータ同士の遠隔操作システムが実現されている。
【０００３】
これは、遠隔操作を行う制御側のクライアント・コンピュータは、操作対象となる被制御側のサーバ・コンピュータと通信ネットワークを会して接続されており、サーバ・コンピュータの表示画面の情報がクライアント・コンピュータに転送されて、クライアント・コンピュータの操作者は表示されたサーバ・コンピュータの表示画面を未ながら操作を行い、その操作情報はサーバ・コンピュータに通知され、サーバ・コンピュータは受信した操作情報に従って処理を実行するというシステムである（例えば特許文献１参照）。
【０００４】
また、このようなシステムでは、表示画面のＧＵＩ（Ｇｒａｐｈｉｃａｌ  Ｕｓｅｒ  Ｉｎｔｅｒｆａｃｅ）化に伴い、サーバ・コンピュータからクライアント・コンピュータへの表示画面の情報は、表示画面そのままの画像データとして送られるものが主流である。
【０００５】
さらに、パーソナル・デジタル・アシスタント（ＰＤＡ）や携帯電話等の小型通信端末の高性能化及び市場への普及に伴い、クライアント・コンピュータとしてこれらの小型の通信端末を用いる遠隔操作できるシステムが望まれている。
【０００６】
【特許文献１】
特開平１０−２００９７２号公報
【０００７】
【発明が解決しようとする課題】
しかしながら、小型の通信端末は、何より携帯性が重視されているため、パーソナル・コンピュータのように、コンピュータが扱う資源であるリソースを自由に使用できるわけでなく、かなり制限を受ける中でリソースを使用しているため、上記従来のような遠隔操作システムの制御側としてそのまま使用する場合、大きなリソースを消費してしまうので端末の性能低下を招き、操作性が悪くなるという問題点を有していた。
【０００８】
本発明は、遠隔操作システムの制御側となる小型の遠隔操作装置において、自身の機器設定を保持したり、機器設定を変更するインターフェースを用意したりすることによるリソース不足を解消した遠隔操作システム及び遠隔操作方法を提供することを目的とする。
【０００９】
【課題を解決するための手段】
この課題を解決するために本発明は、通信ネットワークを介してデータ通信可能な遠隔操作装置とサーバ装置で構成され、遠隔操作装置はサーバ装置の表示用画像データを受信して表示し、当該表示上で指示した内容をサーバ装置は受信して指示内容に応じた処理を実行する遠隔操作システムであって、サーバ装置は、遠隔操作装置の設定情報を記憶した設定情報記憶手段と、設定情報記憶手段に記憶された設定情報を読み出して遠隔操作装置への送信するよう制御する設定情報管理手段とを有し、遠隔操作装置は、受信した設定情報を反映させる機器設定手段を有する、構成とした。
【００１０】
これにより、遠隔操作システムの制御側となる小型の遠隔操作装置において、自身の機器設定を保持したり、機器設定を変更するインターフェースを用意したりすることによるリソース不足を解消した遠隔操作システムが得られる。
【００１１】
【発明の実施の形態】
本願の請求項１に係る発明は、通信ネットワークを介してデータ通信可能な遠隔操作装置とサーバ装置で構成され、遠隔操作装置はサーバ装置の表示用画像データを受信して表示し、当該表示上で指示した内容をサーバ装置は受信して指示内容に応じた処理を実行する遠隔操作システムであって、サーバ装置は、遠隔操作装置の設定情報を記憶した設定情報記憶手段と、設定情報記憶手段に記憶された設定情報を読み出して遠隔操作装置への送信するよう制御する設定情報管理手段とを有し、遠隔操作装置は、受信した設定情報を反映させる機器設定手段を有する、構成としたことにより、遠隔操作端末装置の機器設定のための設定情報をサーバ装置で保持しておくことで、遠隔操作端末装置が用意すべきリソースを抑えることができる。
【００１２】
本願の請求項２に係る発明は、請求項１に係る発明において、サーバ装置は、設定情報記憶手段に記憶された設定情報を変更するための設定変更画面を生成する画面生成手段と、画面生成手段により生成された設定変更画面を遠隔操作装置へ送信するよう制御するサーバ制御手段と、を有し、遠隔操作装置は、サーバ装置より受信した設定変更画面を表示させる表示手段と、表示手段により表示された設定変更画面において入力指示を行う入力手段とを有する、構成としたことにより、遠隔操作端末装置の機器設定のための設定情報を変更する設定画面をサーバ装置が生成して遠隔操作装置に送信するので、遠隔操作端末装置が用意すべきリソースを抑えることができる。
【００１３】
本願の請求項３に係る発明は、請求項２に係る発明において、遠隔操作装置は、設定変更画面で入力指示した指示内容をサーバ装置へ送信する端末制御手段を有し、サーバ装置は、受信した指示内容に基づいて設定情報記憶手段の内容を更新する設定情報管理手段を有する、構成としたことにより、更新内容がきちんと反映される。
【００１４】
本願の請求項４に係る発明は、請求項３に係る発明において、設定情報管理手段は、更新した設定情報を遠隔操作装置へ送信するよう制御する、構成としたことにより、更新した設定情報を遠隔操作装置において即座に反映させることができる。
【００１５】
本願の請求項５に係る発明は、請求項３に係る発明において、設定情報管理手段は、設定情報記憶手段の設定情報を更新した際、更新対象のデータ内容から更新した設定情報を遠隔操作装置に返すべきものか否かを判定し、返すべき内容の設定情報であれば、更新後の設定情報を遠隔操作装置に送信するよう制御する、構成としたことにより、即座に反映したい設定情報のみを遠隔操作装置に送信することができる。
【００１６】
本願の請求項６に係る発明は、請求項１に係る発明において、設定情報管理手段は、遠隔操作装置との接続確立時に設定情報記憶手段の設定情報を遠隔操作装置へ送信するよう制御する、構成としたことにより、遠隔操作装置は設定情報を前もって保持しておく必要がなくなる。
【００１７】
以下、本発明の各実施の形態について、図面を参照しながら説明する。
【００１８】
（実施の形態１）
本発明の実施の形態１について説明する。
【００１９】
図１は、本発明の実施の形態１における遠隔操作システムの機能ブロック図である。本実施の形態では、小型の通信端末である遠隔操作装置とサーバ・コンピュータとが、インターネットやＬＡＮ等の通信ネットワーク１０１によってデータ通信可能に接続されている。
【００２０】
図１において、制御側である遠隔操作装置は、サーバ・コンピュータと通信ネットワークを介してデータ通信を行う通信手段１０３、表示された画像に対して操作を行う入力手段１０４、サーバ・コンピュータに対する送信データを生成する送信データ生成手段１０５、サーバ・コンピュータから受信したデータを解析する受信データ解析手段１０６、サーバ・コンピュータから受信した設定情報を反映する機器情報設定手段１０７、サーバ・コンピュータより受信した表示画面の画像データを表示する表示手段１０８を備え、これら各手段を制御する制御手段１０２を有する。
【００２１】
また、被制御側であるサーバ・コンピュータは、遠隔操作装置と通信ネットワークを介してデータ通信を行う通信手段１１０、遠隔操作装置から受信したデータを解析する受信データ解析手段１１１、遠隔操作装置に対する送信データを生成する送信データ生成手段１１２、遠隔操作装置に関する固有の情報（機器設定情報）を記憶した端末設定情報記憶手段１１５、端末設定情報記憶手段１１５に記憶された設定情報を管理する端末情報管理手段１１３、サーバ・コンピュータ自身が表示する画面データを取得する画面取得手段１１４を備え、これら各手段を制御する制御手段１０９を有する。
【００２２】
図２は本発明の実施の形態１における遠隔操作システムの装置ブロック図である。
【００２３】
図２に示すように、サーバ・コンピュータは、各種プログラム・データを実行するＣＰＵ（中央処理演算装置）２０１、データを表示する画像出力装置２０２、データを一時的に格納するＲＡＭ（ランダム・アクセス・メモリ）２０３、ＣＰＵ２０１が実行するプログラム・データやその他のデータを格納するＲＯＭ（リード・オンリー・メモリ）２０４及び二次記憶装置２０５、データ通信を行う通信インターフェース２０６を備える。
【００２４】
また、遠隔操作装置は、各種プログラム・データを実行するＣＰＵ（中央処理演算装置）２０７、データ通信を行う通信インターフェース２０８、データを一時的に格納するＲＡＭ（ランダム・アクセス・メモリ）２０９、ＣＰＵ２０７が実行するプログラム・データやその他のデータを格納するＲＯＭ（リード・オンリー・メモリ）２１０、操作者からの操作を入力する入力装置２１１、データを表示する画像出力装置２１２を備える。
【００２５】
図１に示した機能手段と図２に示したハードウェアとの関係について説明する。
【００２６】
図１及び図２に示すように、遠隔操作装置においては、通信手段１０３は通信インターフェース２０８により、入力手段１０４は入力装置２１１により、表示手段１０８は画像出力装置２１２により、それぞれ実現されている。また、送信データ生成手段１０５、受信データ解析手段１０６、機器情報設定手段１０７、制御手段１０２は、ＣＰＵ２０７がＲＯＭ２１０及びＲＡＭ２０９とデータのやりとりを行いながらＲＯＭ２１０に記憶されているプログラム・データを実行することにより実現される。
【００２７】
サーバ・コンピュータにおいては、通信手段１１０は通信インターフェース２０６により、端末設定情報記憶手段１１５は二次記憶装置２０５により、受信データ解析手段１１１、送信データ生成手段１１２、端末情報管理手段１１３、画面情報取得手段１１４、制御手段１０９はＣＰＵ２０１がＲＯＭ２０４及びＲＡＭ２０３とデータのやりとりを行いながら二次記憶装置２０５に記憶されている制御プログラムを実行することにより実現される。
【００２８】
なお、画像出力装置２０２はサーバ・コンピュータ上に表示される画面が遠隔操作端末装置上に表示されるということをわかりやすくするためのものであり、実際には無くても構わない。
【００２９】
なお、遠隔操作装置及びサーバ・コンピュータにおいて、ＣＰＵ２０１及び２０７が実行する各種プログラム・データは、予め装置内に記憶されているものを実行する形態であっても良いし、可搬性を有する記録媒体に記憶されたもの、あるいは通信ネットワークを介してダウンロードしたものを読み出して実行する形態であっても良い。
【００３０】
以上のように構成された遠隔操作システムについて、以下にその動作を説明する。
【００３１】
図３は、本発明の実施の形態１における遠隔操作システムの概念図であり、図３（ａ）は、遠隔操作装置上にサーバ・コンピュータの表示画面の一部を表示している状態を示している。また、図３（ｂ）は、サーバ・コンピュータで生成された遠隔操作装置の設定を変更する端末設定画面を表示した状態を示している。
【００３２】
なお、端末設定画面を表示させる操作に関しては、遠隔操作装置に呼び出し用の専用ボタンを設けてあっても良いし、画面上に操作メニューを表示するようにしておいて操作メニューから端末設定画面を呼び出すようにするなど、端末設定画面を呼び出すための手段は問わない。
【００３３】
図４は、本発明の実施の形態１における遠隔操作システムの概念図であり、図４（ａ）は、遠隔操作装置に端末設定画面を表示している状態から操作者が設定変更の操作を行い、保存処理を行ったときの状態を示している。また、図４（ｂ）は、遠隔操作装置で端末設定画面から操作された内容に従って、設定情報をサーバ・コンピュータが保存し、更新する状態を示している。
【００３４】
図３に示すように、遠隔操作装置からサーバ・コンピュータの遠隔操作が可能な状態（図３（ａ））で、遠隔操作装置より端末設定画面の呼び出し要求がサーバ・コンピュータになされると、サーバ・コンピュータは遠隔操作装置の設定を行うための端末設定画面を生成し、その表示画面の画像データを遠隔操作装置に送信し、遠隔操作装置は受信した画像データを表示する（図３（ｂ））。
【００３５】
そして、図４に示すように、遠隔操作装置の端末設定画面上で操作者より設定の変更、保存が行われると（図４（ａ））、遠隔操作装置は操作者の設定した操作情報をサーバ・コンピュータへ送信し、受信したサーバ・コンピュータは、当該操作情報を記憶する、もしくは更新する。
【００３６】
なお、図３及び図４に示す具体例では、遠隔操作装置の表示画面の明るさを変更する様子を示しているが、機器設定情報としては、省電力設定等の電源制御やスクロール等の表示制御等、各種のものが存在する。
【００３７】
このような図３及び図４で示す動作の流れを、以下、図５及び図６のフローチャートを用いて詳細に説明する。
【００３８】
図５は、本発明の実施の形態１における遠隔操作システムの動作フローチャートであり、制御側の小型の通信端末であり遠隔操作装置の動作を示したものである。
【００３９】
図５では、遠隔操作装置を起動し、サーバ・コンピュータからサーバ・コンピュータの表示画面の画像情報を受信して表示を行う。そして、遠隔操作装置の設定変更に関して、ユーザの入力情報をサーバ・コンピュータに送信する処理の流れを示している。
【００４０】
図５に示すように、ユーザが遠隔操作端末装置を起動すると、ステップ１０１で、所定のサーバ・コンピュータ、もしくはユーザが指定したサーバ・コンピュータへの接続が通信手段１０３を介して行われる。
【００４１】
ステップ１０２で、サーバ・コンピュータから転送されてくるデータを、通信手段１０３を介して受信する。
【００４２】
ステップ１０３で、受信データ解析手段１０６は、受信データが画像データであるか解析を行う。解析した結果、画像データであると判断した場合には、ステップ１０４で、表示手段１０８により受信した画像データの表示を行う。
【００４３】
ステップ１０３における解析の結果、受信データが画像データではない場合、ステップ１０５に進み、受信データ解析手段１０６は、受信データが設定データであるどうか解析を行う。解析した結果、設定データであると判断した場合には、ステップ１０６で、機器情報設定手段１０７により受信した設定データに基づいて機器の設定を行う。
【００４４】
一方、受信したデータが設定データではない場合、ステップ１０７で、受信したデータの内容に従って所定の処理を行う。ここでは、ステップ１０７で実行される処理は本発明に関連しないその他の処理であり、説明は省略する。
【００４５】
ステップ１０８では、入力手段１０４からユーザの入力を受け付けたか否かを判定し、入力があった場合は、ステップ１０９で、送信データ生成手段１０５により入力内容を所定のフォーマットに変換し、通信手段１０３を介してサーバ・コンピュータに送信する。なお、ステップ１１０で操作終了でなければステップ１０２に戻る。
【００４６】
図６は、本発明の実施の形態１における遠隔操作システムの動作フローチャートであり、被制御側であるサーバ・コンピュータの動作について示している。
【００４７】
図６では、サーバ・コンピュータが遠隔操作端末装置から接続要求を受信し、遠隔操作端末装置からの要求を処理する、また、必要に応じて表示画面を画像情報として取得し遠隔操作端末装置へ転送する点を示している。
【００４８】
図６に示すように、ステップ２０１で、通信手段１１０を介し、遠隔操作端末装置からの接続要求を受信し、接続を確立する。
【００４９】
ステップ２０２で、受信データ解析手段１１１は、遠隔操作端末装置からの受信データを解析する。なお、本実施の形態では、接続確立直後は遠隔操作端末装置からは何の要求も発行していないため、ステップ２１３へ処理が移行するが、接続時に遠隔操作端末装置の表示能力などを通知してくる等の場合にはこの限りではない。
【００５０】
ステップ２１３で、画面情報取得手段１１４は表示画面の一部もしくは全部を画像データとして取得し、ステップ２１４で、送信データ生成手段１１２により取得した画像データを所定のフォーマットに変換し、通信手段１１０を介して遠隔操作装置へ送信する。
【００５１】
ステップ２１５では、通信手段１１０が通信の終了を認識した場合、再度遠隔操作端末装置からの接続要求を待機する。通信が終了しない場合は、ステップ２０２に戻る。
【００５２】
戻って、ステップ２０２で、通信手段１１０が遠隔操作端末装置からデータを受信した場合、ステップ２０３で、受信データ解析手段１１１により受信したデータが入力情報かどうか解析を行う。受信したデータが入力情報であると判断した場合には、受信データ解析手段１１１は、ステップ２０４で入力情報の解析を行い、ステップ２０５で、解析した入力情報をオペレーティング・システムへ発行する。
【００５３】
ステップ２０６で、受信データ解析手段１１１は、入力情報が設定画面を開いている場合に設定の適用操作を行ったものかどうかの解析を行い、適用操作であると判断した場合には、ステップ２０７で、端末情報管理手段１１３は端末設定情報記憶手段１１５に記憶された設定パラメータの変更を行い、更新する。
【００５４】
ステップ２０８では、送信データ生成手段１１２は適用操作された設定パラメータを所定のフォーマットに変換し、通信手段１１０が遠隔操作端末装置に送信する。
【００５５】
また、ステップ２０３において、受信したデータが入力情報ではないと判断した場合、ステップ２０９で、受信データ解析手段１１１は、受信データが設定要求であるかどうか解析を行う。受信データが設定要求であった場合、ステップ２１０で、端末情報管理手段１１３は二次記憶装置２０５の端末設定情報記憶手段１１５から設定パラメータの読み込みを行い、設定パラメータに従い設定画面の表示を行う。そして、ステップ２１３以降で設定画面の画像データを遠隔操作端末装置に送信することになる。
【００５６】
なお、ステップ２０９において、受信データが設定要求ではないと判断した場合は、ステップ２０２においてその他の処理を実行することになるが、本発明に関連しないため説明は省略する。
【００５７】
以上のように本実施の形態では、サーバ・コンピュータが遠隔操作装置の機器設定情報を保持しておき、遠隔操作装置からの設定要求に応じて、当該設定情報を変更するための操作画面を生成し、画像データとして遠隔操作装置に送信する。さらに、遠隔操作装置で表示された操作画面上で変更指示があると、指示された内容に設定情報を更新する。これにより、遠隔操作装置で設定情報の保持や設定変更のための操作画面を生成する必要が無くなり、遠隔操作装置におけるリソースの消費を抑えることができる。
【００５８】
（実施の形態２）
本発明の実施の形態２について説明する。
【００５９】
なお、システム構成については、実施の形態１における図１及び図２を引用して説明する。
【００６０】
図７は、本発明の実施の形態２における遠隔操作システムの概念図である。本実施の形態が実施の形態１と異なるのは、図７（ａ）に示すように、遠隔操作装置においてサーバ・コンピュータの提供する設定画面で設定内容の変更操作が行われると、サーバ装置は更新さした設定情報を遠隔操作装置に送信し、設定の変更内容を反映させようとするが、変更しようとする内容がすぐに反映させるものであるのか、そうでないのかを判断した上で図７（ｂ）の如く変更内容が即座に遠隔操作装置に反映される、という点である。
【００６１】
以下、その動作について図８を参照しながら説明する。
【００６２】
図８は、本発明の実施の形態２における遠隔操作システムの動作フローチャートであり、ユーザが遠隔操作端末装置に表示された設定画面上で変更操作を行うと、サーバ・コンピュータが遠隔操作端末装置からの入力情報を受信し、設定変更する動作を示している。
【００６３】
図８に示すように、サーバ・コンピュータは遠隔操作装置からデータを受信すると、ステップ３０１で、受信データ解析手段１１１により入力情報の解析を行い、ステップ３０２で、入力情報をオペレーティング・システムへ発行する。
【００６４】
ステップ３０３で、受信データ解析手段１１１は、設定画面が表示されている場合に入力情報が設定変更操作であるかどうか解析する。設定変更操作であると判断した場合、ステップ３０４で、端末情報管理手段１１３は変更操作された内容が遠隔操作端末装置に即時に反映すべき所定の内容か否かの判断を行い、即時反映すべき内容であれば、設定パラメータの内容を二次記憶装置２０５に保存し、ステップ３０６で、送信データ生成手段１１２は適用操作された設定パラメータを所定のフォーマットに変換し、通信手段１１０により遠隔操作端末装置に送信する。
【００６５】
ステップ３０４で、変更操作された内容が遠隔操作端末装置に即時に反映すべき内容ではないと判断した場合は、操作端末装置への送信は行わない。
【００６６】
また、ステップ３０３で、入力情報が設定変更操作ではないと判断された場合は、ステップ３０７へ処理が移行するが、ここでの処理は、ステップ２０６と同様であり説明は省略する。
【００６７】
なお、設定変更を即座に反映すべき内容としては、遠隔操作装置の表示画面の設定（明るさ等）等、ユーザの操作に直接的に影響を与えるものが考えられ、即座に反映しなくてもよいものとしては、次回起動以降に変更してもこと足りるものが考えられる。
【００６８】
また、端末情報管理手段１１３のステップ３０４における判断については、遠隔操作装置に返すべきか否かを分類したテーブルを予め用意しておく、もしくは設定情報の付加情報としておくことで容易に実現可能である。
【００６９】
以上のように本実施の形態では、端末情報管理手段１１３が、サーバ・コンピュータが保持する遠隔操作装置の設定内容を変更するにあたって、変更する内容が即時に遠隔操作装置に反映すべきものか、そうでないものかを判定し、反映すべきものについてのみ、変更した設定パラメータを遠隔操作装置に送信するので、遠隔操作装置は必要最低限の設定適用作業で済み、遠隔操作装置の負荷が軽減される。
【００７０】
（実施の形態３）
本発明の実施の形態３について説明する。
【００７１】
なお、システム構成については、実施の形態１における図１及び図２を引用して説明する。
【００７２】
図９は、本発明の実施の形態３における遠隔操作システムの概念図であり、遠隔操作端末装置が起動し、サーバ・コンピュータに接続したときに、サーバ・コンピュータから前回終了時点での設定情報を取得する場合を示している。
【００７３】
図１０は、本発明の実施の形態３における遠隔操作システムの動作フローチャートであり、サーバ・コンピュータが遠隔操作端末装置からの接続要求を受信後、設定情報を接続してきた遠隔操作端末装置に送信する点を示している。
【００７４】
図１０に示すように、ステップ４０１で、端末情報管理手段１１３は二次記憶装置２０５の端末設定情報記憶手段１１５から設定パラメータを読み込み、ステップ４０２で、送信データ生成手段１１２は設定パラメータを所定のフォーマットに変換して、通信手段１１０へ送信する。
【００７５】
これにより、本実施の形態では、遠隔操作装置とサーバ・コンピュータとの接続確立時に端末設定情報記憶手段１１５に記憶されている設定情報が遠隔操作装置へ送信され、遠隔操作装置は設定情報を前もって保持しておく必要がなくなる。
【００７６】
なお、ステップ４０２以降の処理は、図４に示すステップ２０２と同様であるため説明は省略する。
【００７７】
【発明の効果】
以上のように本発明によれば、通信ネットワークを介してデータ通信可能な遠隔操作装置とサーバ装置で構成され、遠隔操作装置はサーバ装置の表示用画像データを受信して表示し、当該表示上で指示した内容をサーバ装置は受信して指示内容に応じた処理を実行する遠隔操作システムであって、サーバ装置は、遠隔操作装置の設定情報を記憶した設定情報記憶手段と、設定情報記憶手段に記憶された設定情報を読み出して遠隔操作装置への送信するよう制御する設定情報管理手段とを有し、遠隔操作装置は、受信した設定情報を反映させる機器設定手段を有する、構成としたことにより、遠隔操作端末装置の機器設定のための設定情報をサーバ装置で保持しておくことで、遠隔操作端末装置が用意すべきリソースを抑えることができ、ハードウェア的に制約が厳しい小型の遠隔操作装置において特に顕著な効果を期待できる。
【００７８】
また、サーバ装置は、設定情報記憶手段に記憶された設定情報を変更するための設定変更画面を生成する画面生成手段と、画面生成手段により生成された設定変更画面を遠隔操作装置へ送信するよう制御するサーバ制御手段と、を有し、遠隔操作装置は、サーバ装置より受信した設定変更画面を表示させる表示手段と、表示手段により表示された設定変更画面において入力指示を行う入力手段とを有する、構成としたことにより、遠隔操作端末装置の機器設定のための設定情報を変更する設定画面をサーバ装置が生成して遠隔操作装置に送信するので、遠隔操作端末装置が用意すべきリソースを抑えることができ、ハードウェア的に制約が厳しい小型の遠隔操作装置において特に顕著な効果を期待できる。
【００７９】
また、遠隔操作装置は、設定変更画面で入力指示した指示内容をサーバ装置へ送信する端末制御手段を有し、サーバ装置は、受信した指示内容に基づいて設定情報記憶手段の内容を更新する設定情報管理手段を有する、構成としたことにより、更新内容がきちんと反映される。
【００８０】
また、設定情報管理手段は、更新した設定情報を遠隔操作装置へ送信するよう制御する、構成としたことにより、更新した設定情報を遠隔操作装置において即座に反映させることができ、操作性が良い。
【００８１】
また、設定情報管理手段は、設定情報記憶手段の設定情報を更新した際、更新対象のデータ内容から更新した設定情報を遠隔操作装置に返すべきものか否かを判定し、返すべき内容の設定情報であれば、更新後の設定情報を遠隔操作装置に送信するよう制御する、構成としたことにより、即座に反映したい設定情報のみを遠隔操作装置に送信することができ、操作性が良いと共に、回線の負荷も軽減される。
【００８２】
また、設定情報管理手段は、遠隔操作装置との接続確立時に設定情報記憶手段の設定情報を遠隔操作装置へ送信するよう制御する、構成としたことにより、遠隔操作装置は設定情報を前もって保持しておく必要がなくなり、さらなるリソースの低減を実現できる。
【図面の簡単な説明】
【図１】本発明の実施の形態１における遠隔操作システムの機能ブロック図
【図２】本発明の実施の形態１における遠隔操作システムの装置ブロック図
【図３】本発明の実施の形態１における遠隔操作システムの概念図
【図４】本発明の実施の形態１における遠隔操作システムの概念図
【図５】本発明の実施の形態１における遠隔操作システムの動作フローチャート
【図６】本発明の実施の形態１における遠隔操作システムの動作フローチャート
【図７】本発明の実施の形態２における遠隔操作システムの概念図
【図８】本発明の実施の形態２における遠隔操作システムの動作フローチャート
【図９】本発明の実施の形態３における遠隔操作システムの概念図
【図１０】本発明の実施の形態３における遠隔操作システムの動作フローチャート
【符号の説明】
１０１  通信ネットワーク
１０２  制御手段
１０３  通信手段
１０４  入力手段
１０５  送信データ生成手段
１０６  受信データ解析手段
１０７  機器情報設定手段
１０８  表示手段
１０９  制御手段
１１０  通信手段
１１１  受信データ解析手段
１１２  送信データ生成手段
１１３  端末情報管理手段
１１４  画面情報取得手段
１１５  端末設定情報記憶手
【図１】
2004172711.tif 000003
【図２】
2004172711.tif 000004
【図３】
2004172711.tif 000005
【図４】
2004172711.tif 000006
【図５】
2004172711.tif 000007
【図６】
2004172711.tif 000008
【図７】
2004172711.tif 000009
【図８】
2004172711.tif 000010
【図９】
2004172711.tif 000011
【図１０】
2004172711.tif 000012